(57)【要約】【課題】ファンと排気部の設置位置を適切な位置に配置することにより、効率的に内部内蔵機器を冷却し、内部を防塵可能な排熱装置を提供する。【解決手段】複数の発熱部材を内蔵した筐体内から排熱するための排熱装置において、前記筐体１０１上部に配置され、該筐体内へエアーを送り込むための送気ファン１０６と、送気ファン１０６によって送り込まれるエアーを除塵するためのフィルタ１２０と、筐体１０１下部に配置され、送気ファン１０６によって送り込まれたエアーを筐体外へ排気するための開口部１１９とを有することを特徴とする。【選択図】    図１
2005019586.tif 000002
【特許請求の範囲】
【請求項１】
複数の発熱部材を内蔵した筐体内から排熱するための排熱装置において、
前記筐体上部に配置され、該筐体内へエアーを送り込むための送気ファンと、
前記送気ファンによって送り込まれるエアーを除塵するためのフィルタと、
前記筐体下部に配置され、前記送気ファンによって送り込まれたエアーを筐体外へ排気するための排気部と、
を有することを特徴とする排熱装置。
【請求項２】
前記発熱部材は、前記送気ファンと前記排気部間に配置され、且つ発熱量の高い発熱部材から順に上部から配置されていることを特徴とする排熱装置。
【請求項３】
前記発熱部材は、少なくとも発熱部材の一部が前記送気ファンにより送り込まれたエアーが直接あたる位置に配置されていることを特徴とする請求項１又は請求項２に記載の排熱装置。
【請求項４】
前記筐体は熱伝導性の高い材質で構成され、且つ前記発熱部材の少なくとも一部が前記筐体に接触していることを特徴とする請求項１乃至請求項３のいずれか１項に記載の排熱装置。
【請求項５】
前記排気部に筐体内のエアーを排気するための排気ファンを有することを特徴とする請求項１乃至請求項４のいずれか１項に記載の排熱装置。
【請求項６】
複数の発熱部材を内蔵した筐体内から排熱するための電子機器において、
前記筐体上部に配置され、該筐体内へエアーを送り込むための送気ファンと、
前記送気ファンによって送り込まれるエアーを除塵するためのフィルタと、
前記筐体下部に配置され、前記送気ファンによって送り込まれたエアーを筐体外へ排気するための排気部と、
を有することを特徴とする電子機器。
【発明の詳細な説明】
【０００１】
【発明の属する技術分野】
本発明は複数の発熱部材を内蔵した筐体内から熱を効果的に排気するための排熱装置および電子機器に関する。
【０００２】
【従来の技術】
今日、シールや葉書などに使用者が複数のサンプル画像の中から選択し、媒体に画像形成して取り出し口から取り出す電子機器が街頭に設置されているが、このような機器は筐体内にタッチパネルモニタやパーソナルコンピュータ、画像形成装置等を内蔵している。
【０００３】
このような電子機器にあっては、前記モニタやパーソナルコンピュータ、画像形成装置は動作時発熱する為、筐体内が高温状態になり、内蔵機器に悪影響をおよぼすことがある。また、長期間筐体を設置することにより、筐体内部に塵・埃が進入し、内蔵機器に悪影響をおよぼすことがあった。
【０００４】
これを改善する方法として、筐体内の空気を筐体外部に吹き出すファンを設け、筐体の発熱を防止するのが一般的である。（特許文献１）
【０００５】
【特許文献１】
特開２００１−２３６０６０号（図２、第２頁）
【０００６】
【発明が解決しようとする課題】
しかしながら、このような従来の冷却方法では、ファン・排気口の取りつけ位置によっては、本来の機能を十分に発揮できないことがある。例えば空気の排気に伴い外気が筐体内に流入して、空気の流入に伴いゴミ・チリが進入して、それが、機器に障害を与えることも有った。
【０００７】
本発明は、上記従来例に鑑みてなされたもので、その目的は、ファンと排気部の設置位置を適切な位置に配置することにより、効率的に内部内蔵機器を冷却し、内部を防塵可能な排熱装置・電子機器を提供するものである。
【０００８】
【課題を解決するための手段】
上記目的を達成するための本発明に係る代表的な構成は、複数の発熱部材を内蔵した筐体内から排熱するための排熱装置において、前記筐体上部に配置され、該筐体内へエアーを送り込むための送気ファンと、前記送気ファンによって送り込まれるエアーを除塵するためのフィルタと、前記筐体下部に配置され、前記送気ファンによって送り込まれたエアーを筐体外へ排気するための排気部と、を有することを特徴とする。
【０００９】
前記構成によれば、送気ファンにより筐体内部を正圧にすることによって筐体内部を防塵すると共に、送気ファンの配置位置を筐体上部、排気部の配置位置を吸い込み用ファンと対向する筐体の下部とすることにより、比較的塵・埃の少ない外気を取り込むことが可能となる為、効率的なサイクルでのフィルタ交換が可能となる。また、排気部をファンと対向する筐体の下面に配置し、その間に内蔵機器を配置させることにより、内蔵機器をまんべんなく冷却することができる。
【００１０】
【発明の実施の形態】
以下、図面を参照して本発明の排熱装置および電子機器に係わる実施形態について詳細に説明する。
【００１１】
〔第１実施形態〕
図１は、本発明の特徴を最もよく表す図であり、排熱装置を取り込んだ自動販売機の側面断面図である。以下、本図を用いて実施形態を説明する。
【００１２】
１０１は自動販売機などの筐体であり、熱伝導性のよい、例えば金属部品で構成され、キャスタ１０８により移動可能であり、移動後にアジャスタ１０９にて固定する。
【００１３】
１０２は熱伝導性のよい、例えば金属製のブラケット１１７を介して筐体１０１に固定されたタッチパネルモニタであり、１０３はパーソナルコンピュータ、１０４はスライドレール１１０によって筐体１０１外に引き出し可能な、倒れ込み防止用の脚１１１を備えた画像形成装置である。
【００１４】
１０５は停電など突然電力が途絶えた場合でも一定時間電力を供給し続ける無停電電源装置であり、１０６はファン、１１４はスピーカである。また、１１５は底部に硬貨を保管する為の金庫１１６を備えたコインベンダであり、各々図示しないケーブルによって接続され、中継基板１１８によって制御される。
【００１５】
ユーザは、コインベンダ１１５に硬貨を投入してサービスを開始し、タッチパネルモニタ１０２にて希望のコンテンツを決定する。ユーザの選択したデータがパーソナルコンピュータ１０３を介して画像形成装置１０４に送信され、形成された媒体は図１のＡ部に排出されてシュータ１０７内を通過し、Ｂ部に到達する。
【００１６】
ユーザは、開閉可能な前扉１２３に取り付けられた取り出し口１１３よりフラッパ１１２を押しこんでＢ部に滞留する媒体を取り出す。
【００１７】
図２は、図１におけるＣ−Ｃ断面である。図において、１１９は排気部としての開口部であり、外気と連通している。
【００１８】
図１において、ファン１０６は筐体１０１上部の内側に配置され、対向する筐体１０１外側には、フィルタ１２０が配置されている。フィルタ１２０は、フィルタケース１２１内に内蔵されたフィルタトレイ１２２上に配置され、フィルタトレイ１２２をフィルタケース１２１から引き出すことにより交換可能である。
【００１９】
ファン１０６は筐体内部にフィルタ１２０を介したエアーを吹き込む方向に駆動され、吸引されたエアーは筐体下部の開口部１１９から排出される。また、モニタ１０２、パーソナルコンピュータ１０３、画像形成装置１０４、中継基板１１８、無停電電源装置１０５の発熱容量は、モニタ１０２＞パーソナルコンピュータ１０３＞画像形成装置１０４＞中継基板１１８＞無停電電源装置１０５の順であり、発熱容量の高いものから順に筐体１０１内の上方から配置されている。
【００２０】
さらに、最も発熱量の高いモニタ１０２は、ファン１０６からのエアーをダイレクトに受ける位置に配置されている。
【００２１】
以上のように、前記構成によれば、ファン１０６を吸い込み方向に駆動することにより、筐体内部が正圧になり、筐体外部のゴミの進入を防止することが可能となると共に、ファン１０６の配置位置を筐体上部、排気部の配置位置をファン１０６と対向する筐体の下部とすることにより、比較的塵・埃の少ない外気を取り込むことが可能となる為、効率的なサイクルでのフィルタ交換が可能となる。
【００２２】
また、排気部である開口部１１９をファン１０６と対向する筐体の下面に配置し、その間に内蔵機器を配置させることにより、内蔵機器をまんべんなく冷却することができる。
【００２３】
さらに、内蔵機器の配置を熱容量の高いものから順に上から配置することにより、ファン１０６から取りこまれる外気が、熱容量が高い内蔵機器から優先的に供給される。
【００２４】
また、最も発熱量の高い内蔵物に対しては、直接ファンからのエアーが当たる位置に配置することにより、一層効率よく冷却することができる。また、筐体の材質を熱伝導性の高い材質とすることにより、放熱性が高められ、さらに効率のよい冷却が可能となる。
【００２５】
〔第２実施形態〕
図３は第２実施形態に係る排熱装置を適応した自動販売機の側面断面図であり、図４は図３におけるＤ−Ｄ断面図である。なお、ここでは前述した第１実施形態と同一機能を有する部材については同一符号を付して重複する説明を省略し、第１実施形態と異なる点のみを説明する。
【００２６】
本実施形態は、図３及び図４に示すように、筐体１０１の底面に第１実施形態が有していた開口部１１９は存在せず、その代わりに筐体１０１の底面に排気部としての開口部が形成され、この開口部に筐体内の空気を外部へ吐き出す方向に駆動されるファン３０１が取り付けられている。
【００２７】
このように、単に開口部１１９にするのではなく、ファン３０１によって内部の熱を積極的に排気することで、前述した第１実施形態の構成で得られる効果のみならず、より以上の冷却効果を得ることができる。
【００２８】
【発明の効果】
以上説明したように、本発明によれば、送気ファンにより筐体内部を正圧にすることによって筐体内部を防塵すると共に、送気ファンの配置位置を筐体上部、排気口の配置位置を吸い込み用ファンと対向する筐体の下部とすることにより、比較的塵・埃の少ない外気を取り込むことが可能となる為、効率的なサイクルでのフィルタ交換が可能となる。また、排気口をファンと対向する筐体の下面に配置し、その間に内蔵機器を配置させることにより、内蔵機器をまんべんなく冷却することができる。
【図面の簡単な説明】
【図１】第１実施形態に係る自動販売機の側面断面図である。
【図２】図１におけるＣ−Ｃ断面である。
【図３】第２実施形態に係る自動販売機の側面断面図である。
【図４】図３におけるＤ−Ｄ断面である。
【符号の説明】
１０１    …筐体
１０２    …タッチパネルモニタ
１０３    …パーソナルコンピュータ
１０４    …画像形成装置
１０５    …無停電電源装置
１０６    …ファン
１１２    …フラッパ
１１３    …取り出し口
１１４    …スピーカ
１１５    …コインベンダ
１１６    …金庫
１１７    …ブラケット
１１８    …中継基板
１１９    …開口部
１２０    …フィルタ
１２１    …フィルタケース
１２２    …フィルタトレイ
１２３    …前扉
３０１    …ファン
【図１】
2005019586.tif 000003
【図２】
2005019586.tif 000004
【図３】
2005019586.tif 000005
【図４】
2005019586.tif 000006